【手続補正書】
【提出日】平成29年11月16日(2017.11.16)
【手続補正１】
【補正対象書類名】特許請求の範囲
【補正対象項目名】全文
【補正方法】変更
【補正の内容】
【特許請求の範囲】
【請求項１】
物体側から像側へ順に配置された、正の屈折力の第１レンズ群、負の屈折力の第２レンズ群、正の屈折力の第３レンズ群を有し、
広角端から望遠端へのズーミングに際して、前記第２レンズ群は像側へ移動し、隣り合うレンズ群の間隔が変化し、
前記第１レンズ群は、隣接して配置された正レンズＬＰ１と負レンズＬＮ１を有し、
波長４００ｎｍにおける材料の屈折率をＮｓ、波長１０５０ｎｍにおける前記材料の屈折率をＮｍ、波長１７００ｎｍにおける前記材料の屈折率をＮｌとし、前記材料のアッベ数νＩＲと部分分散比θＩＲを
νＩＲ＝（Ｎｍ−１）／（Ｎｓ−Ｎｌ）
θＩＲ＝（Ｎｓ−Ｎｍ）／（Ｎｓ−Ｎｌ）
なる式で定義し、
前記正レンズＬＰ１の材料のアッベ数νＩＲと部分分散比θＩＲを各々νＩＲＰ１，θＩＲＰ１、前記負レンズＬＮ１の材料のアッベ数νＩＲと部分分散比θＩＲを各々νＩＲＮ１，θＩＲＮ１とするとき、
−０．００３＜（θＩＲＰ１−θＩＲＮ１）／（νＩＲＰ１−νＩＲＮ１）＜０．００３
なる条件式を満足することを特徴とするズームレンズ。
【請求項２】
前記第１レンズ群に含まれる全ての正レンズの材料のアッベ数νＩＲをνＩＲＰ１ａとするとき、
１８．０＜νＩＲＰ１ａ
なる条件式を満足することを特徴とする請求項１に記載のズームレンズ。
【請求項３】
前記第２レンズ群は、隣接して配置された正レンズＬＰ２と負レンズＬＮ２を有し、前記正レンズＬＰ２の材料のアッベ数νＩＲと部分分散比θＩＲを各々νＩＲＰ２，θＩＲＰ２、前記負レンズＬＮ２の材料のアッベ数νＩＲと部分分散比θＩＲを各々νＩＲＮ２，θＩＲＮ２とするとき、
−０．００５＜（θＩＲＰ２−θＩＲＮ２）／（νＩＲＰ２−νＩＲＮ２）＜０．００５
なる条件式を満足することを特徴とする請求項１又は２に記載のズームレンズ。
【請求項４】
前記正レンズＬＰ２と前記負レンズＬＮ２は互いに接合されていることを特徴とする請求項３のズームレンズ。
【請求項５】
前記正レンズＬＰ１と前記負レンズＬＮ１は互いに接合されていることを特徴とする請求項１乃至４のいずれか１項に記載のズームレンズ。
【請求項６】
波長１０５０ｎｍにおける前記第１レンズ群の焦点距離をＦ１Ｍ、波長１７００ｎｍにおける前記第１レンズ群の焦点距離をＦ１Ｌとするとき、
−０．００５＜（Ｆ１Ｌ−Ｆ１Ｍ）／Ｆ１Ｍ＜０．００５
なる条件式を満足することを特徴とする請求項１乃至５のいずれか１項に記載のズームレンズ。
【請求項７】
物体側から像側へ順に配置された、正の屈折力の第１レンズ群、負の屈折力の第２レンズ群、正の屈折力の第３レンズ群を有し、
広角端から望遠端へのズーミングに際して、前記第２レンズ群は像側へ移動し、隣り合うレンズ群の間隔が変化し、
波長１０５０ｎｍにおける前記第１レンズ群の焦点距離をＦ１Ｍ、波長１７００ｎｍにおける前記第１レンズ群の焦点距離をＦ１Ｌとするとき、
−０．００５＜（Ｆ１Ｌ−Ｆ１Ｍ）／Ｆ１Ｍ＜０．００５
なる条件式を満足することを特徴とするズームレンズ。
【請求項８】
波長１０５０ｎｍにおける前記第１レンズ群の焦点距離をＦ１Ｍ、波長１０５０ｎｍにおける望遠端での全系の焦点距離をＦＴＭとするとき、
０．５０＜Ｆ１Ｍ／ＦＴＭ＜１．００
なる条件式を満足することを特徴とする請求項１乃至７のいずれか１項に記載のズームレンズ。
【請求項９】
前記第１レンズ群、前記第２レンズ群、前記第３レンズ群より構成され、広角端から望遠端へのズーミングに際して前記第３レンズ群は物体側へ移動することを特徴とする請求項１乃至８のいずれか１項に記載のズームレンズ。
【請求項１０】
物体側から像側へ順に配置された、前記第１レンズ群、前記第２レンズ群、前記第３レンズ群、正の屈折力の第４レンズ群より構成され、広角端から望遠端へのズーミングに際して前記第４レンズ群は物体側へ移動することを特徴とする請求項１乃至８のいずれか１項に記載のズームレンズ。
【請求項１１】
物体側から像側へ順に配置された、前記第１レンズ群、前記第２レンズ群、前記第３レンズ群、正の屈折力の第４レンズ群、正の屈折力の第５レンズ群より構成され、広角端から望遠端へのズーミングに際して前記第４レンズ群は物体側へ移動することを特徴とする請求項１乃至８のいずれか１項に記載のズームレンズ。
【請求項１２】
請求項１乃至１１のいずれか１項に記載のズームレンズと、該ズームレンズによって形成される像を受光する撮像素子を有することを特徴とする撮像装置。
【手続補正２】
【補正対象書類名】明細書
【補正対象項目名】００１２
【補正方法】変更
【補正の内容】
【００１２】
本発明のズームレンズは、物体側から像側へ順に配置された、正の屈折力の第１レンズ群、負の屈折力の第２レンズ群、正の屈折力の第３レンズ群を有し、
広角端から望遠端へのズーミングに際して、前記第２レンズ群は像側へ移動し、隣り合うレンズ群の間隔が変化し、
前記第１レンズ群は、隣接して配置された正レンズＬＰ１と負レンズＬＮ１を有し、
波長４００ｎｍにおける材料の屈折率をＮｓ、波長１０５０ｎｍにおける前記材料の屈折率をＮｍ、波長１７００ｎｍにおける前記材料の屈折率をＮｌとし、前記材料のアッベ数νＩＲと部分分散比θＩＲを
νＩＲ＝（Ｎｍ−１）／（Ｎｓ−Ｎｌ）
θＩＲ＝（Ｎｓ−Ｎｍ）／（Ｎｓ−Ｎｌ）
なる式で定義し、
前記正レンズＬＰ１の材料のアッベ数νＩＲと部分分散比θＩＲを各々νＩＲＰ１，θＩＲＰ１、前記負レンズＬＮ１の材料のアッベ数νＩＲと部分分散比θＩＲを各々νＩＲＮ１，θＩＲＮ１とするとき、
−０．００３＜（θＩＲＰ１−θＩＲＮ１）／（νＩＲＰ１−νＩＲＮ１）＜０．００３
なる条件式を満足することを特徴としている。
【手続補正３】
【補正対象書類名】明細書
【補正対象項目名】００１３
【補正方法】変更
【補正の内容】
【００１３】
この他、本発明のズームレンズは、物体側から像側へ順に配置された、正の屈折力の第１レンズ群、負の屈折力の第２レンズ群、正の屈折力の第３レンズ群を有し、広角端から望遠端へのズーミングに際して、前記第２レンズ群は、像側へ移動し、隣り合うレンズ群の間隔が変化するズームレンズにおいて、
波長１０５０ｎｍにおける前記第１レンズ群の焦点距離をＦ１Ｍ、波長１７００ｎｍにおける前記第１レンズ群の焦点距離をＦ１Ｌとするとき、
−０．００５＜（Ｆ１Ｌ−Ｆ１Ｍ）／Ｆ１Ｍ＜０．００５
なる条件式を満足することを特徴としている。
【手続補正４】
【補正対象書類名】明細書
【補正対象項目名】００１６
【補正方法】変更
【補正の内容】
【００１６】
以下、本発明のズームレンズ及びそれを有する撮像装置について説明する。本発明のズームレンズは、物体側から像側へ順に配置された、正の屈折力の第１レンズ群、負の屈折力の第２レンズ群、正の屈折力の第３レンズ群を有し、広角端から望遠端へのズーミングに際して、第２レンズ群は、像側へ移動する。そしてズーミングに際して隣り合うレンズ群の間隔が変化する。
【手続補正５】
【補正対象書類名】明細書
【補正対象項目名】００２６
【補正方法】変更
【補正の内容】
【００２６】
第１レンズ群Ｇ１は、隣接して配置された正レンズＬＰ１と負レンズＬＮ１よりなるレンズ部ＬＢ１を有している。波長４００ｎｍでの材料の屈折率をＮｓ、波長１０５０ｎｍでの材料の屈折率をＮｍ、波長１７００ｎｍでの材料の屈折率をＮｌ、材料のアッベ数νＩＲと材料の部分分散比θＩＲを、それぞれ
νＩＲ＝（Ｎｍ−１）／（Ｎｓ−Ｎｌ）
θＩＲ＝（Ｎｓ−Ｎｍ）／（Ｎｓ−Ｎｌ）
なる式で定義する。
【手続補正６】
【補正対象書類名】明細書
【補正対象項目名】００２７
【補正方法】変更
【補正の内容】
【００２７】
正レンズＬＰ１の材料のアッベ数νＩＲと部分分散比θＩＲを各々νＩＲＰ１，θＩＲＰ１、負レンズＬＮ１の材料のアッベ数νＩＲと部分分散比θＩＲを各々νＩＲＮ１，θＩＲＮ１とする。このとき、
−０．００３＜（θＩＲＰ１−θＩＲＮ１）／（νＩＲＰ１−νＩＲＮ１）＜０．００３
・・・（１）なる条件式を満足する。
【手続補正７】
【補正対象書類名】明細書
【補正対象項目名】００３０
【補正方法】変更
【補正の内容】
【００３０】
各実施例において更に好ましくは次の条件式の１つ以上を満足するのが良い。第１レンズ群Ｇ１に含まれる全ての正レンズの材料のアッベ数νＩＲをνＩＲＰ１ａとする。第２レンズ群Ｇ２は、隣接して配置された正レンズＬＰ２と負レンズＬＮ２よりなるレンズ部ＬＢ２を有する。正レンズＬＰ２の材料のアッベ数νＩＲと部分分散比θＩＲを各々νＩＲＰ２，θＩＲＰ２、負レンズＬＮ２の材料のアッベ数νＩＲと部分分散比θＩＲを各々νＩＲＮ２，θＩＲＮ２とする。